(57)【要約】【課題】  本発明は、重要人物が飛行機のタラップから降りてきた時、雨に濡れないで挨拶も手際よくおこなえる、また、障害者等が飛行機、乗用車の乗降時にも雨に濡れないようにする傘を提供する。【解決手段】複数人が入ることができる傘であって、一対の開閉可能な傘と、前記一対の傘間に伸縮自在のジャバラ状の屋根部材とで構成している。【選択図】図１
2009050673.tif 000002
【特許請求の範囲】
【請求項１】
複数人が入ることができる傘であって、一対の開閉可能な傘と、前記一対の傘間に伸縮自在のジャバラ状の屋根部材とで構成したことを特徴とする複数人用傘。
【請求項２】
一対の傘の中央軸を近づけた時、ジャバラ状の屋根部材が下方に垂れ下るのを防止のため、該屋根部材の一部に骨を入れ、傘上部石突き部間を紐部材で該骨部材上に設けた吊部材を用い締結する請求項１記載の複数人用傘。
【請求項３】
一対の傘間のジャバラ状の屋根部材を折り畳んだ時、側面水平方向のスペースを縮小のため、ジャバラ状の屋根部材の一部を外方向に折り畳んだ請求項２記載の複数人用傘。
【発明の詳細な説明】
【技術分野】
【０００１】  本発明は、傘と傘の間にジャバラ状の屋根部材を設け、屋根部材の中に重要人物、障害者等が入り、雨に濡れるのを防ぐ複数人用傘に関する。
【背景技術】
【０００２】  従来、雨が降っているとき、重要人物、障害者等が飛行機、自動車等の乗り物を乗降する際、付添い人の傘の助けが必要であった。【０００３】  しかしながら、従来の付添い人の傘は、一人用で狭く、重要人物、障害者等が濡れる場合が多かった。特に、飛行機のタラップの途中で濡れることが多く、不憫を感じていた。【０００４】  これまで、昭６１−１４４８１４（考案の名称：二人用傘）があるがスペースが狭く機構も複雑であった。また、前記の傘は、親骨の接合部間の間隔が一定となるようにしたもので、傘を開いた時には狭いため、重要人物や障害者等を雨に濡れるのを完全に防止するところまでは考えていなかった。
【特許文献１】実用新案出願公開  昭６１−１４４８１４
【発明の開示】
【発明が解決しようとする課題】
【０００５】  本発明は以上のような従来の欠点に鑑み、雨が降ったとき、従来の傘は二人用であっても狭く、二人で入った時濡れるときがあった。本発明は、重要人物が飛行機のタラップから降りてきた時、雨に濡れないで挨拶も手際よくおこなえる、また、障害者等が飛行機、乗用車の乗降時にも雨に濡れないようにする傘を提供することを目的とする。【０００６】  本発明の前記ならびにそのほかの目的と新規な特徴は次の説明を添付図と照らし合わせて読むと、より完全に明らかになるであろう。
ただし、図面はもっぱら解説のものであって、本発明の技術的範囲を限定するものではない。
【課題を解決するための手段】
【０００７】  上記目的を達成するため、本発明は複数人が入ることが出来る傘であって、一対の開閉可能な傘と、前記一対の傘間に伸縮自在のジャバラ状の屋根部材とで構成されている。
【発明の効果】
【０００８】  以上の説明から明らかなように、本発明にあっては次に列挙する効果が得られる。
（１）複数人が入ることが出来る傘であって、一対の開閉可能な傘と、前記一対の傘間に伸縮自在のジャバラ状の屋根部材とで構成されているので、一対の傘を支える支援者のもと、ジャバラ状の屋根部材と言う広いスペースが確保できる。
したがって、重要人物が飛行機から降りた時、この屋根に入ったまま、迎えの人への挨拶も雨に濡れることなく手際よくおこなえる。また、屋根の中に居る障害者等も一対の傘についている支援者のもと、雨に濡れることなく、諸事を手際よく行うことができる。【０００９】（２）一対の傘の中央軸を近づけた時、ジャバラ状の屋根部材が下方に垂れ下るのを防止のため、該屋根部材の一部に骨を入れ、傘上部石突き部間を紐部材で該骨部材上に設けた吊部材を用い締結されている。
したがって、ジャバラ状の屋根材は一対の傘の支援者がたとえ傘を縮ませても、屋根の下にいる重要人物は、屋根部材に接することなく、迎えの方への挨拶を手際よくおこなえる。また、傘をさせない障害者等も屋根部材が頭に触って気分を悪くすることなく諸事を行える。【００１０】（３）一対の傘間のジャバラ状の屋根部材を折り畳んだ時、側面水平方向のスペースを縮小のため、ジャバラ状の屋根部材の一部を外方向に折り畳んだ状態にしてある。
したがって、ジャバラ状の屋根部材を折りたたんだ時、水平方向の張り出し量を縮小するため、ジャバラ状の屋根部材の骨の所定箇所に折り畳みを入れてあるので、縮小して収納ができ、取り出し持ち歩くのも容易である。
【発明を実施するための最良の形態】
【００１１】  以下、図面に示すための最良の形態により、本発明を詳細に説明する。【００１２】  図１ないし図２の本発明の第一の実施するための最良の形態において、一対の傘１３は柄２を挿入した中央軸３上に布部材１０が外骨４に支えられている。
一対の傘１３の間はジャバラ状の屋根部材６により形成されている。【００１３】  ジャバラ状の屋根部材６は防水の効いた薄い布、ナイロン等の部材を用い、折り目部が付き、伸縮自在である程度の剛性も備わっていた方がよい。【００１４】  前記複数人用傘１にはそれぞれ傘を開閉する支援者が必要で、その間に形成されたジャバラ状の屋根部材６に重要人物、障害者等が入る形となる。【００１５】  複数人用傘１を使用後、折り畳んだ状態を図２に示す。更に、中央軸３の操作で該傘１を折り畳んだ状態を図３に示す。
【発明を実施するための異なる形態】
【００１６】  次に図４ないし図６の本発明の第二の実施のための最良の形態において、複数人用傘１の一対の傘１３を近づけた時、ジャバラ状の屋根部材６が下方に垂れ下がり、屋根部材の中にいる重要人物、障害者等の頭に触れるのを防ぐため、一対の傘１３の石突き部５の間を図１２示すようにジャバラ部骨７の中央部上に設けた吊部材９を用い紐部材８、例えばピアノ線等で締結する。この時、紐部材８であるピアノ線を巻き取るのに巻き取り機（図示せず）を活用すると良い。
ジャバラ部骨７の材料は、アルミ、鉄、樹脂等で中を中空にする等の軽量化された構造にするのが好ましい。
【００１７】  図７ないし図１１の本発明の第三の実施の形態において、前記本発明の第二の実施の形態と主に異なる点は、複数人用傘１を図７、図８の順序で折り畳んで行く時、側面から見て、水平方向の張り出し部１１の中間部に図１０に示すように、折り畳み部１２を設けたことである。
折り畳み部１２は傘をさしている時には、折り畳み部１２は図１０の（ａ）の状態で，仕舞うときには折り畳み部１２は図１０の（ｂ）のように外側に折り返す形を取る。この結果、収納スペースも少なくて済み、取り扱いも容易である。終了した状態を図１１に示す。
尚、折り畳みの際、図７のＡ部が容易に開くようチャック等を使い、開閉が容易にして置くのが好ましい。
【産業上の利用可能性】
【００１８】本発明は、傘を製造する産業およびジャバラ状の屋根部材となる布部材を製造する産業とで利用される。
【図面の簡単な説明】
【００１９】
【図１】本発明の第一の実施の形態の斜視図。
【図２】本発明の第一の実施の形態の複数人用傘のジャバラ状の屋根部材を縮小した図。
【図３】本発明の第一の実施の形態の複数人用傘を閉じた図。
【図４】本発明の第二の実施の形態の斜視図。
【図５】本発明の第二の実施の形態の複数人用傘のジャバラ状の屋根部材を縮小した図。
【図６】本発明の第二の実施の形態の複数人用傘を閉じた図。
【図７】本発明の第三の実施の形態の折り畳み中間状態の斜視図。
【図８】本発明の第三の実施の形態の折り畳み終了した斜視図。
【図９】本発明の第三の実施の形態のジャバラ状の屋根部材を縮小した図。
【図１０】本発明の第三の実施の形態の折り畳み部の拡大図。
【図１１】本発明の第三の実施の形態の傘の折り畳み部の縮小を終了した図。
【図１２】本発明の第二、第三の実施の形態のジャバラ状の屋根部材の吊り上げ部材の拡大図。
【符号の説明】
【００２０】１、    複数人用傘
２、    柄
３、    中央軸
４、    外骨
５、    石突き部
６、    ジャバラ状の屋根部材
７、    ジャバラ部骨
８、    紐部材
９、    吊部材
１０、  布部材
１１、  ジャバラ状の屋根部材の張り出し部
１２、  折り畳み部
１３、  一対の傘
Ａ、    折り畳み用開閉部（チャック使用）
【図１】
2009050673.tif 000003
【図２】
2009050673.tif 000004
【図３】
2009050673.tif 000005
【図４】
2009050673.tif 000006
【図５】
2009050673.tif 000007
【図６】
2009050673.tif 000008
【図７】
2009050673.tif 000009
【図８】
2009050673.tif 000010
【図９】
2009050673.tif 000011
【図１０】
2009050673.tif 000012
【図１１】
2009050673.tif 000013
【図１２】
2009050673.tif 000014